(57)【要約】 【課題】１ＯＮＵにて複数のＬＬＩＤを処理可能な構成とすることにより、高コストになることのないＧＥ−ＰＯＮにおける複数ＬＬＩＤ処理装置を提供すること。【解決手段】  ＯＮＵの基本レイヤを下位レイヤから、ＰＭＤレイヤ，ＰＭＡレイヤ，ＦＥＣレイヤ，ＰＣＳレイヤ，ＲＳレイヤ，ＭＡＣレイヤ，ＭＰＣＰレイヤ，ＯＡＭレイヤの順に備え、前記基本レイヤのセットとしてもう一つＰＣＳレイヤからの上位レイヤである、ＲＳレイヤ，ＭＡＣレイヤ，ＭＰＣＰレイヤ，ＯＡＭレイヤを順に備え、前記基本レイヤであるＰＣＳレイヤと、同じく基本レイヤ側のＲＳレイヤ、前記基本レイヤのセットとして設けられた側のＲＳレイヤとの接続を制御するＭＵＸ部を備える。【選択図】 図１
2007074256.tif 000002
【特許請求の範囲】
【請求項１】
Ｅ−ＰＯＮ形のトポロジーにイーサネット（登録商標）パケットを収容したアクセスシステムのためのＧＥ−ＰＯＮに用いられる複数のＬＬＩＤを処理するＬＬＩＤ処理装置であって、
前記アクセスシステムは、１台のＯＬＴと該ＯＬＴに接続される少なくとも１台のＯＮＵとで構成されており、
前記ＬＬＩＤ処理装置は、前記ＯＮＵに前記ＬＬＩＤの個数と同数のＬＬＩＤ処理機能手段として組み込まれており、
該ＬＬＩＤ処理機能手段の各々は、共通基本レイヤを共有するとともに、専用基本レイヤを個別に有しており、
前記共通基本レイヤは、下位から順に、ＰＭＤレイヤ，ＰＭＡレイヤ，及びＰＣＳレイヤを備えており、
前記専用基本レイヤは、前記基本レイヤのＰＣＳレイヤより上位のレイヤであって、下位から順に、ＲＳレイヤ，ＭＡＣレイヤ，ＭＰＣＰレイヤ，及びＯＡＭレイヤを備えており、
さらに、前記ＬＬＩＤ処理機能手段の各々は、前記共通基本レイヤのＰＣＳレイヤと、前記専用基本レイヤの各々のＲＳレイヤとの接続を制御するマルチプレクサを共有していることを特徴とする複数ＬＬＩＤ処理装置。
【請求項２】
前記マルチプレクサは、
前記ＯＬＴ側から前記ＯＮＵ側への下り信号を、前記共通基本レイヤのＰＣＳレイヤから直接前記各専用基本レイヤのＲＳレイヤに送る接続手段と、
前記ＯＮＵ側から前記ＯＬＴ側への上り信号に対しては、前記専用基本レイヤの各々のＲＳレイヤからの出力信号を、所定の論理で多重して、前記共通基本レイヤのＰＣＳレイヤに送る多重手段と、
を有することを特徴とする請求項１に記載の複数ＬＬＩＤ処理装置。
【発明の詳細な説明】
【技術分野】
【０００１】
この発明は、ギガビットイーサネット（登録商標）受動型光加入者ネットワーク（Gigabit Ethernet（登録商標）-passive optical network：ＧＥ−ＰＯＮ）形等のトポロジーを用い、これにユーザネットワークで広く用いられているＥｔｈｅｒｎｅｔ（登録商標）パケットを収容した、コアネットワークに接続する機能を有するアクセスシステムのためのＧＥ−ＰＯＮにおける複数ＬＬＩＤ（Logical Link identifire：論理リンク識別子）処理装置に関するものである。
【背景技術】
【０００２】
ＧＥ−ＰＯＮとは、ギガビットのＦＴＴＨ（Fiber To The Home）サービス等を実現する技術である。すなわち、ＰＯＮ技術にギガビットイーサネット（登録商標）技術を取り込み、１Ｇｂｐｓという超高速で光ファイバのアクセス区間通信を実現する技術をいう。
【０００３】
図５に１：ｎ（ｎは自然数）接続の場合のＥ−ＰＯＮ（Ethernet（登録商標）-passive oputical network：規格上の名称）を使用したアクセスシステムの従来周知の構成の一例を示す。
【０００４】
図５において、センタ側に装備されたＯＬＴ（Optical Line Terminal：光加入者線終端装置）とユーザ側に装備されたＯＮＵ（Optical Network Unit：光加入者線ネットワーク装置）と両者間に配置された光スプリッタ１０とで、Ｅ−ＰＯＮインタフェースが構成される。また、ＯＬＴは、１００／１０００ＢＡＳＥ−Ｔや１０００ＢＡＳＥ−ＳＸ／Ｌ等の規格のＥｔｈｅｒインタフェースを介してエッジルータ（インターネット回線に接続するＬ２ＳＷ等）１２によってコアネットワーク（インターネット等）１４と接続される。同様に、ＯＮＵは１０／１００／１０００ＢＡＳＥ−Ｔ等の規格のＥｔｈｅｒインタフェースを介してパソコン１６等のユーザ端末に接続される。
【０００５】
ＦＴＴＨサービスは、一般に、光ファイバを使ってインターネット接続を実現するサービスであるが、たとえ光ファイバで高速化できたとしても、その導入コストが銅線と比べてあまりにも高ければ経済的理由で普及するのが難しくなる。そこで、少しでもＦＴＴＨサービスの利用料金を下げるために、１本の光ファイバを複数のユーザで共有するＰＯＮ（Passive Optical Network）が考え出された。ＰＯＮは光ファイバの途中に光スプリッタ１０等を設けて伝送路を２〜３２本に分岐させるスター型ネットワークのことをいう。
【０００６】
ここで、光スプリッタとは１つの光信号を２つ以上の出力に分岐したり、２つ以上の光入力信号を１つの出力に結合したりすることができる装置のことである。光スプリッタは電源が不要でしかもメンテナンスフリーなので、伝送路の複数箇所に設置しながら柔軟なネットワークを設計できる。
【０００７】
従来、この種のＰＯＮ技術を用いたアクセスシステムとして、イーサネット（登録商標）受動型光加入者ネットワークにおけるマルチキャストＬＬＩＤ伝送確認方法というものが知られている（例えば、特許文献１参照）。
【０００８】
この特許文献中では、ＰＯＮ技術にイーサネット（登録商標）技術を取り込んだＥ−ＰＯＮにて、光ファイバのアクセス区間通信を実現するための技術の開示がなされている。
【０００９】
具体的には、この技術によれば、Ｅ−ＰＯＮでは、センタ側に設けられたＯＬＴ（Optical Line Terminal）とユーザ側に設けられたＯＮＵ（Optical Network Unit）との間で通信が行われる場合、従来のＥｔｈｅｒｎｅｔ（登録商標）のプリアンブル領域にＬＬＩＤを付与したＭＡＣ（Media Access Control：媒体アクセス制御）フレーム（マックフレームとも称する）が使用される。
【００１０】
このＭＡＣフレームについて図６を参照して簡単に説明する。図６は、Ｅ−ＰＯＮの区間だけ使用される従来のＥｔｈｅｒｎｅｔ（登録商標）のプリアンブル領域にＬＬＩＤを付与したマックフレームを示した図である。図６において、ＦＣＳ（Frame Check Sequence）はフレームチェックシーケンスで、ＳＬＤ（Start Of LLID Delimiter）は、従来Ｅｔｈｅｒｎｅｔ（登録商標）のＭＡＣフレームのプリアンブル領域にＬＬＩＤが記載されていることを示すものである。また、ＣＲＣ（Cyclic Redundancy Check）は、ＳＬＤ〜ＬＬＩＤまでの符号誤りチェックである。これらは、ＩＥＥＥ８０２．３ａｈ（米国電気電子学会）により標準化されている。
【００１１】
パケットの目的地（destination）がＯＬＴからＯＮＵである場合（下り方向）に、ＯＮＵはそのパケット内のＬＬＩＤの内容が、ＯＬＴのＤｉｓｃｏｖｅｒｙ（ディスカバリー）プロセスにより事前に自分に割り当てられたＬＬＩＤと同一であるか否かを確認してパケットの受信可否を判断し、パケットの目的地がＯＮＵからＯＬＴである場合（上り方向）には、ＯＬＴはそのパケット内のＬＬＩＤとＯＬＴ内に登録されているＬＬＩＤリストの内容とを比較してパケットを受信するかどうかを判断している。
【特許文献１】特開２００４−１１２８１３号公報（第２〜第５頁、図１，図３）
【発明の開示】
【発明が解決しようとする課題】
【００１２】
特許文献１に開示されている技術によれば、アクセスシステムは、基本的に、１ＯＮＵあたり１ＬＬＩＤのみ設定（受信）する構成であり、複数ＬＬＩＤを設定する構成とはなっておらず、複数ＬＬＩＤを処理しようとすると、光のＰＭＤレイヤ，ＰＭＡレイヤ，ＦＥＣレイヤ（省略可），ＰＣＳレイヤ，ＲＳレイヤ，ＭＡＣレイヤ，ＭＰＣＰレイヤ，ＯＡＭレイヤ等を、それぞれ複数個別に持つ、すなわち、ＯＮＵをもう一台設ける必要があり、コスト面で非常に高価なものになってしまうという問題があった。
【００１３】
尚、ＰＭＤ（Physical Midium Dependent）レイヤは光インタフェースを規定するものであり、ＰＭＡ（Phisical Medium Attachment）レイヤはＰＣＳレイヤで符号化された論理的な伝送ビット列と媒体上を伝送する信号列との変換を規定するものであり、ＦＥＣ（Forward Error Correction）レイヤは前方誤り訂正を規定するものであり（このレイヤは無くても良い）、ＰＣＳ（Physical Coding Sublayer）レイヤは送信するデータを信号化に適したビット列に変換する符号化を規定するものであり、ＲＳ（Reconciliation Sublayer）レイヤはＭＡＣフレームに付与されるプリアンブル、ＬＬＩＤの処理に関して規定するものであり、ＭＡＣ（Media Access Control）レイヤはフレームの送受信方法やフレームの形式、誤り検出方法などを規定するものであり、ＭＰＣＰ（MULTI-POINT MAC CONTROL）レイヤはＭＡＣフレーム転送の制御プロトコルを規定するものであり、ＯＡＭ（Operations, Administration, and Maintenance）レイヤは保守、運用、管理を行うプロトコルである。
【００１４】
そこで、この発明の目的は、１ＯＮＵにて複数のＬＬＩＤを処理可能な構成とすることにより、高コストになることのない複数ＬＬＩＤ処理装置を提供することにある。
【課題を解決するための手段】
【００１５】
この発明の複数ＬＬＩＤ処理装置は、Ｅ−ＰＯＮ形のトポロジーにイーサネット（登録商標）パケットを収容したアクセスシステムのためのＧＥ−ＰＯＮに用いられる複数のＬＬＩＤを処理するＬＬＩＤ処理装置である。アクセスシステムは、１台のＯＬＴと、このＯＬＴに接続される少なくとも１台のＯＮＵとで構成されている。ＬＬＩＤ処理装置は、ＯＮＵにＬＬＩＤの個数と同数のＬＬＩＤ処理機能手段として組み込まれている。ＬＬＩＤ処理機能手段の各々は、共通基本レイヤを共有するとともに、専用の基本レイヤを個別に有している。共通基本レイヤは、下位から順に、ＰＭＤレイヤ，ＰＭＡレイヤ，及びＰＣＳレイヤを備えていて、専用基本レイヤは、基本レイヤのＰＣＳレイヤより上位のレイヤであって、下位から順に、ＲＳレイヤ，ＭＡＣレイヤ，ＭＰＣＰレイヤ，及びＯＡＭレイヤを備えている。さらに、ＬＬＩＤ処理機能手段の各々は、共通基本レイヤのＰＣＳレイヤと、専用基本レイヤの各々のＲＳレイヤとの接続を制御するマルチプレクサを共有している。
【００１６】
また、この発明では、マルチプレクサは、好ましくはＯＬＴ側からＯＮＵ側への下り信号を、共通基本レイヤのＰＣＳレイヤから直接前記各専用基本レイヤのＲＳレイヤに送る接続手段を有し、ＯＮＵ側からＯＬＴ側への上り信号に対しては、各専用基本レイヤのＲＳレイヤからの出力信号を、所定の論理で多重して、共通基本レイヤのＰＣＳレイヤに送る多重手段とを有する構成とするのがよい。
【発明の効果】
【００１７】
この発明によれば、ＯＮＵの基本レイヤを下位レイヤから、ＰＭＤレイヤ，ＰＭＡレイヤ，ＰＣＳレイヤ，ＲＳレイヤ，ＭＡＣレイヤ，ＭＰＣＰレイヤ，ＯＡＭレイヤの順に備え、基本レイヤのセットとしてもう一つＰＣＳレイヤからの上位レイヤである、ＲＳレイヤ，ＭＡＣレイヤ，ＭＰＣＰレイヤ，ＯＡＭレイヤを順に備えるようにしたので、ＲＳレイヤよりも低いレイヤを共通化でき、コストダウンが図れる。
【００１８】
また、ＲＳレイヤ以上の高いレイヤを独立化しておけるので、ＬＬＩＤ毎にユーザインタフェースの管理ができ、用途に応じてＭＰＣＰ制御や各レイヤの制御を個別に行うことができる。
【００１９】
また、ＰＭＡレイヤを共通化したので、ＰＯＮの欠点である光スプリッタ分岐による光の損失を低減させることができるため、光の伝送距離に影響を与えることが無く、かつ１ＯＬＴ配下で管理できるＬＬＩＤ数を増やすことが可能となる。または、管理する最大ＬＬＩＤ数を代えずに、伝送距離を伸ばすことができる。
【００２０】
また、ＯＮＵ内にマルチプレクサを設け、専用基本レイヤの各々のＲＳレイヤからの出力信号（上り信号）を多重手段により多重処理するようにし、ＯＬＴのＤＢＡ処理により各々のＲＳレイヤからの出力信号は時間的に前後しているため、互いの信号を衝突することなく上り信号として出力させることができる。
【発明を実施するための最良の形態】
【００２１】
以下、この発明のＥ−ＰＯＮ形のトポロジーにイーサネット（登録商標）パケットを収容したアクセスシステムである複数ＬＬＩＤ処理装置の一実施形態を図面に基づいて説明する。
【００２２】
〔この発明の構成〕
図１はこの発明の一実施形態を説明するための図で、ＯＬＴ（センタ部（局側））とｎ個のＯＮＵ（ユーザ部）とが、光ファイバにて、光スプリッタ１０を介してスター状に接続されているところを示した図である。
【００２３】
図１において、ＯＬＴとＯＮＵ間は１：ｎ接続されている（伝送媒体が共有されている）が、Ｅ−ＰＯＮ方式では論理的にはポイントツーポイント構成で、ＬＬＩＤ（Logical Link identifire）と呼ばれる論理識別子によりこのＬＬＩＤ単位で送受制御が行えるようになっている。ちなみに、送信制御に関しては、ＯＬＴ内部のＤＢＡ（Dynamic Bandwidth Allocation）により通信量などに応じて、ｎ個のユーザ（ｍ個のＬＬＩＤ：ｍ≧ｎ）に対し、帯域幅、すなわち送信を行える時間を動的に変化させること等によりこの送信制御を実現可能としている。
【００２４】
図１の構成例では、一例として、１つのＯＮＵであるＯＮＵ−１に２つのＬＬＩＤを定義する場合について説明する。先ず、ＯＮＵ−１の基本レイヤを下位レイヤから、ＰＭＤレイヤ，ＰＭＡレイヤ，ＦＥＣレイヤ，ＰＣＳレイヤ，ＲＳレイヤ，ＭＡＣレイヤ，ＭＰＣＰレイヤ，ＯＡＭレイヤの順に備える（ＬＬＩＤ−１：図中右側）。これは、ＩＥＥＥ８０２．３ａｈ（米国電気電子学会）で標準化されているものである。ＯＮＵ−１ではさらに、セットとしてもう一つＰＣＳレイヤからの上位レイヤとして、ＲＳレイヤ，ＭＡＣレイヤ，ＭＰＣＰレイヤ，ＯＡＭレイヤの順に備える（ＬＬＩＤ−２：図中左側）。そして、ＰＣＳレイヤと、ＬＬＩＤ−１側のＲＳレイヤ、ＬＬＩＤ−２側のＲＳレイヤとの接続を制御するＭＵＸ部（マルチプレクサ）が備えられている。
【００２５】
尚、以降、ＬＬＩＤ−１側及びＬＬＩＤ−２側にて共通に使用されるレイヤ、すなわち、ＰＭＤレイヤ，ＰＭＡレイヤ，ＦＥＣレイヤ，ＰＣＳレイヤを共通基本レイヤと称し、ＬＬＩＤ−１側、ＬＬＩＤ−２側にて、それぞれ専用に使用されるレイヤ、すなわち、ＲＳレイヤ，ＭＡＣレイヤ，ＭＰＣＰレイヤ，ＯＡＭレイヤを専用基本レイヤと称する。
【００２６】
〔この発明の動作〕
図２はこの発明のＧＥ−ＰＯＮにおける複数ＬＬＩＤ処理装置の動作について説明するための図である。尚、図２は図１におけるマルチプレクサ（すなわちＭＵＸ部）を詳細に記載したものである。図２において、図１と同一構成同一機能であるものについては同一の符号を付し説明を省略もしくは簡略にする。
【００２７】
ＭＡＸ部は、接続手段と多重手段を具えている。接続手段は、共通基本レイヤのＰＣＳレイヤから専用基本レイヤの各々のＲＳレイヤに直接信号を伝達するものであり、多重手段は、専用基本レイヤの各々のＲＳレイヤからの出力信号を、所定の論理（例えば、後述する論理演算）で多重して、共通基本レイヤのＰＣＳレイヤに送るものである。
【００２８】
図２では、多重部１８，ＲＳレイヤ，及びＰＣＳレイヤの間に、上り（ＯＬＴ方向）に対してセレクタ２０が配置され、多重部１８の出力（信号Ｃ）またはＲＳレイヤからの信号（信号Ａ）のいずれの信号をＰＣＳレイヤに流すかをセレクトするようになっている。このセレクタ２０の切り替えは、この基本構成の外から入出力（Input/Output）が可能なように切り替え操作ができるようになっていて、初期設定で一旦設定されたら後は変更なしで使用する。また、各レイヤにおける制御は、ＣＰＵ２２によってソフト制御されるようになっている。
【００２９】
この例の場合、上り（ＯＬＴ方向）は、ＬＬＩＤ−１を処理する側の専用基本レイヤ中のＲＳレイヤからの出力信号Ａと、ＬＬＩＤ−２を処理する側の専用基本レイヤ中のＲＳレイヤからの出力信号Ｂが多重部１８にて多重（後述）される。この信号は多重後、ＬＬＩＤ−１側のセレクタ２０に信号Ｃとして供給される。セレクタ２０には、多重部１８からの信号Ｃと、ＬＬＩＤ−１を処理する側の専用基本レイヤ中のＲＳレイヤからの信号Ａとが入力されていて、この場合（ＬＬＩＤが２つ有るため）セレクタ２０にて信号Ｃがセレクトされ、共通基本レイヤ中のＰＣＳレイヤに供給される。
【００３０】
一方、下り（ＯＮＵ方向）は、ＰＣＳレイヤからの出力信号ＤがそのままＬＬＩＤ−１を処理する側の専用基本レイヤ中のＲＳレイヤに供給されるとともに、ＬＬＩＤ−２のＲＳレイヤに供給される。すなわち、ＰＣＳレイヤと各専用基本レイヤのＲＳレイヤとの間には、接続手段として、出力信号Ｄをそのまま直接供給する経路２４を備えている。
【００３１】
ここで、セレクタ２０の論理は複数ＬＬＩＤをサポートする時点で固定的にパスを切り替えるようになっていて、この切り替えは、装置立ち上げ時にＣＰＵ２２によるソフト制御またはボード上固定的に論理を固定しても良い。
【００３２】
ところで、一般に、イーサネット（登録商標）機器はケーブルをつなぐだけで動作する（プラグ・アンド・プレイ）ようになっている。そこで、Ｅ−ＰＯＮでも特別な設定を行わなくてもＯＬＴとＯＮＵが自動で接続（ユーザインタフェースにＬＬＩＤを登録する）のための準備を行うように考慮されている。これは、ＩＥＥＥ８０２．３ａｈ（米国電気電子学会）で標準化されているものである。図２のＧＥ−ＰＯＮにおける複数ＬＬＩＤ処理装置が立ち上がると、ＰＯＮプロトコルであるＭＰＣＰ−Ｄｉｓｃｏｖｅｒｙ（登録シーケンス）により、それぞれ所定のユーザインタフェースに対して、ＬＬＩＤ−１またはＬＬＩＤ−２とが登録される。登録の詳細については、この発明の本質的事項ではないので、その説明を省略するが、ＩＥＥＥ８０２．３ａｈを参照されたい。
【００３３】
このとき、下り方向に対しては、ＰＭＤレイヤ（共通：ＬＬＩＤ−１，２に対して共通という意味、以下同様）→ＰＭＡレイヤ（共通）→ＦＥＣレイヤ（共通）→ＰＣＳレイヤ（共通）→ＲＳレイヤ（ＬＬＩＤ−１）…、及びＰＭＤレイヤ（共通）→ＰＭＡレイヤ（共通）→ＦＥＣレイヤ（共通）→ＰＣＳレイヤ（共通）→ＲＳレイヤ（ＬＬＩＤ−２）…というように各々データが上位レイヤに配送される。
【００３４】
また、上り方向に対しては、…ＲＳレイヤ（ＬＬＩＤ−１）→多重部（共通）→セレクタ（共通）→ＰＣＳレイヤ（共通）→ＦＥＣレイヤ（共通）→ＰＭＡレイヤ（共通）→ＰＭＤレイヤ（共通）、及び…ＲＳレイヤ（ＬＬＩＤ−２）→多重部（共通）→セレクタ（共通）→ＰＣＳレイヤ（共通）→ＦＥＣレイヤ（共通）→ＰＭＡレイヤ（共通）→ＰＭＤレイヤ（共通）という信号の流れになる。
【００３５】
ＲＳレイヤでは、ＯＬＴから送信されてくるＥｔｈｅｒｎｅｔ（登録商標）のＭＡＣフレームに、登録されたＬＬＩＤ番号が付与されてくるため、自分宛でないＬＬＩＤフレームはすべて破棄し、一致するＬＬＩＤフレームだけ取り込む。これにより、ユーザインタフェースへは、ＬＬＩＤ−１またはＬＬＩＤ−２それぞれで登録された信号のみが透過（供給）されることになる。
【００３６】
次に、Ｅ−ＰＯＮのＤｉｓｃｏｖｅｒｙプロセスが終了すると、ＭＰＣＰによる時間的制御が行われる。この制御は、従来よりＯＬＴからの指令（時間及び帯域制御信号（Ｇａｔｅフレーム））で行われる。ＯＮＵからはＲｅｐｏｒｔフレーム申告し、ＯＬＴは全てのＯＮＵからのＲｅｐｏｒｔとＤＢＡ（Dynamic Bandwidth Allocation）にしたがって、ＯＮＵに対してＧａｔｅフレームを送出する。その後、ＩＥＥＥ８０２．３ａｈで規定されている通り、ＰＯＮプロトコルであるＯＡＭ−Ｄｉｓｃｏｖｅｒｙ（保守シーケンス）がはしり、ユーザデータが導通することになる。
【００３７】
図２中の上り多重部１８では、ＬＬＩＤ毎にこのＧａｔｅフレームによって送信時間及び送信帯域（Ｌｅｎｇｔｈ）が管理されているので、衝突することなくデータの送信が可能となっている。
【００３８】
ちなみに、上りデータと下りデータでは、上り下りとも光の波長が異なるため、同時に送信してもデータの衝突は起こることなくフレームの送受信が可能である。ＩＥＥＥ８０２．３ａｈでは、上りフレームの波長は１２７０〜１３６０［ｎｍ］、下りフレームの波長は１４８０〜１５００［ｎｍ］と規定されている。
【００３９】
さて、上述したとおり、下り方向の通信に関しては、ＯＮＵのＲＳレイヤまでは、ＯＬＴからのすべてのフレームが到達することになる。ＰＣＳレイヤ，ＲＳレイヤ間の具体的なデータは、図３で示すようにデータ（Ｄｗ＿ｄａｔ：ＲＳレイヤでプリアンブル、ＬＬＩＤの処理を行うためにＰＣＳレイヤからＲＳレイヤに渡される信号）、及びデータイネーブル（ｄｗ＿ｄａｔ＿ｅｎ：ＲＳレイヤにフレームの先頭を認識させるための信号）のような簡単なものであるので、ＭＵＸ部では特に加工されずに転送される。尚、データイネーブルとはＰＣＳレイヤで処理される符号化によって認識されたパケットの有効範囲を示すものである。
【００４０】
また、既述の通り、上り方向の通信に関しては、ＯＮＵから送信したいフレームの量をＲｅｐｏｒｔフレームとしてＯＬＴに申告し、ＯＬＴはすべてのＯＮＵからのＲｅｐｏｒｔとＤＢＡ（Dynamic bandwidth Allocation）にしたがってＯＮＵに対してＧａｔｅフレームを送出する。このＧａｔｅには、送信開始時刻と送信帯域が含まれているので、それに応じてＯＮＵはフレームを送出することになる。上りは、ＭＰＣＰレイヤでＯＬＴからの送信開始時刻指示によりそれぞれが送信制御され、ＲＳレイヤで登録されたＬＬＩＤ番号を付与し、信号が衝突することなく送信されていく。
【００４１】
上りの多重のイメージは、図４で示す様なデータ（Ｕｐ＿ｄａｔ：ＰＣＳレイヤで８Ｂ／１０Ｂ符号化するための信号）、データイネーブル（Ｕｐ＿ｄａｔ＿ｅｎ：ＰＣＳレイヤにフレームの先頭及び終わりを認識させるための信号）、及びＰＭＤレイヤで光デバイスを発光させるタイミング信号（Ｕｐ＿ｂｉａｓ：ＯＬＴ側から与えられた帯域だけ光を出力させるためのイネーブル信号）を以下の論理で多重すれば衝突無く複数ＬＬＩＤ処理が可能となる。ＬＬＩＤが２個の場合（多重部１８で行われている多重処理）の例を以下に示す。
【００４２】
Up_bias     ＝  （Up_bias_1）｜（Up_bias_2）
Up_dat      ＝  （Up_bias_1 ＆ Up_dat_1）｜（Up_bias_2 ＆ Up_dat_2）
Up_dat_en   ＝  （Up_bias_1 ＆ Up_dat_en_1）｜（Up_bias_2 ＆ Up_dat_en_2）
＊末尾の番号はＬＬＩＤ番号，”＆”はＡＮＤ，”｜”はＯＲ である。
【００４３】
尚、データイネーブルとは、ＰＣＳレイヤで符号化処理させるために必要なパケット有効範囲を示したものである。また、光デバイスを発光させるタイミング信号とはＧａｔｅで指示された送信帯域幅分アサートしている信号である。すなわち、このタイミング信号は、ＰＭＤレイヤからＯＬＴへ光信号を送信するための時間を指定する信号である。
【００４４】
以上、本実施形態では、１ＯＮＵに２つのＬＬＩＤを確保する場合について説明したが、ＯＮＵ−１に、さらに、セットとしてもう２つ、３つ…と、専用基本レイヤ（ＰＣＳレイヤからの上位レイヤとして、ＲＳレイヤ，ＭＡＣレイヤ，ＭＰＣＰレイヤ，ＯＡＭレイヤ）を複数備えることにより、複数のＬＬＩＤを設けることも可能である。
【００４５】
（実施形態の変形）
なお、この発明は前述の実施形態に限定されるものではなく、この発明の目的を達成できる範囲での変形、改良等はこの発明に含まれるものである。
【００４６】
例えば、この発明を実施するための最良の構成などは、以上の記載で開示されているが、この発明は、これに限定されるものではない。すなわち、この発明は、主に特定の実施形態に関して特に図示され、かつ、説明されているが、この発明の技術的思想および目的の範囲から逸脱することなく、以上述べた実施形態に対し、構成、動作、数量、その他の詳細な構成において、当業者が様々な変形を加えることができるものである。
【００４７】
したがって、上記に開示した構成、動作などを限定した記載は、この発明の理解を容易にするために例示的に記載したものであり、この発明を限定するものではないから、それらの構成、動作などの限定の一部若しくは全部の限定を外した構成の名称での記載は、この発明に含まれるものである。
【産業上の利用可能性】
【００４８】
この発明における前記一実施形態では、Ｅ−ＰＯＮ技術をインターネットに応用した場合について説明したが、この発明では、インターネットによるデータの送受信のみに限定されることなく、音声、映像配信、監視等、一台のＯＮＵで複数のＬＬＩＤを必要としている装置に適用することが可能である。
【図面の簡単な説明】
【００４９】
【図１】ＯＬＴ（センタ部（局側））とｎ個のＯＮＵ（ユーザ部）とが、光ファイバにて、光スプリッタを介してスター状に接続されているところを示した図である。
【図２】この発明のＧＥ−ＰＯＮにおける複数ＬＬＩＤ処理装置の動作について１つのＯＮＵを例に挙げて説明するための図である。
【図３】ＰＣＳレイヤ，ＲＳレイヤ間の具体的なデータ例（下り）を示した図である。
【図４】ＰＣＳレイヤ，ＲＳレイヤ間の具体的なデータ例（上り）を示した図である。
【図５】１：ｎ（ｎは自然数）接続の場合のＥ−ＰＯＮを使用したアクセスシステムの構成の一例を示した図である。
【図６】Ｅ−ＰＯＮの区間だけ使用される従来のＥｔｈｅｒｎｅｔ（登録商標）のプリアンブル領域にＬＬＩＤを付与したマックフレームを示した図である。
【符号の説明】
【００５０】
１０…光スプリッタ
１２…エッジルータ
１４…コアネットワーク
１６…ユーザインタフェース（パソコン）
１８…多重部
２０…セレクタ
２２…ＣＰＵ
２４…経路
【図１】
2007074256.tif 000003
【図２】
2007074256.tif 000004
【図３】
2007074256.tif 000005
【図４】
2007074256.tif 000006
【図５】
2007074256.tif 000007
【図６】
2007074256.tif 000008